(57)【特許請求の範囲】
【請求項１】
情報記録再生用のビデオレコーディング方式に規定されている規格に対応する第1のフォーマットで記録された情報を、再生専用のビデオ方式に規定されている規格の第２のフォーマットの情報に変換する方法において、
前記第1のフォーマットである複数の記録情報の少なくとも属性を管理する第1の管理情報から、前記複数の記録情報の映像解像度を示すパラメータがそれぞれ異なることを検出したとき、前記パラメータが異なる記録情報毎に別々のタイトル管理情報を作成し、このタイトル管理情報をそれぞれの記録情報毎の前記解像度を含む第２の管理情報とし、この第２の管理情報及び前記第２のフォーマットの情報を記録媒体に記録することを特徴とする映像記録再生方法。
【請求項２】
情報記録再生用のビデオレコーディング方式に規定されている規格に対応する第1のフォーマットで記録された情報を、再生専用のビデオ方式に規定されている規格の第２のフォーマットの情報に変換する方法において、
前記第1のフォーマットである複数の記録情報の少なくとも属性を管理する第1の管理情報から、前記複数の記録情報のオーディオデータのビットレートを示すパラメータがそれぞれ異なることを検出したとき、前記パラメータが異なる記録情報毎に別々のタイトル管理情報を作成し、このタイトル管理情報をそれぞれの記録情報毎の前記ビットレートを含む第２の管理情報とし、この第２の管理情報及び前記第２のフォーマットの情報を記録媒体に記録することを特徴とする映像記録再生方法。
【請求項３】
情報記録再生用のビデオレコーディング方式に規定されている規格に対応する第1のフォーマットで記録された情報をハードディスクから読出し、再生専用のビデオ方式に規定されている規格の第２のフォーマットの情報に変換し、光ディスクに記録する場合、
前記第1のフォーマットである複数の記録情報の少なくとも属性を管理する第1の管理情報から、前記複数の記録情報の映像解像度を示すパラメータがそれぞれ異なることを検出したとき、前記パラメータが異なる記録情報毎に別々のタイトル管理情報を作成し、このタイトル管理情報をそれぞれの記録情報毎の前記解像度を含む第２の管理情報とし、この第２の管理情報及び前記第２のフォーマットの情報を記録媒体に記録することを特徴とする映像記録再生方法。
【請求項４】
情報記録再生用のビデオレコーディング方式に規定されている規格に対応する第1のフォーマットで記録された情報をハードディスクから読出し、再生専用のビデオ方式に規定されている規格の第２のフォーマットの情報に変換し、光ディスクに記録する場合、
前記第1のフォーマットである複数の記録情報の少なくとも属性を管理する第1の管理情報から、前記複数の記録情報のオーディオデータのビットレートを示すパラメータがそれぞれ異なることを検出したとき、前記パラメータが異なる記録情報毎に別々のタイトル管理情報を作成し、このタイトル管理情報をそれぞれの記録情報毎の前記ビットレートを含む第２の管理情報とし、この第２の管理情報及び前記第２のフォーマットの情報を記録媒体に記録することを特徴とする映像記録再生方法。
法。
【請求項５】
情報記録再生用のビデオレコーディング方式に規定されている規格に対応する第1のフォーマットで記録された情報を、再生専用のビデオ方式に規定されている規格の第２のフォーマットの情報に変換する装置において、
前記第1のフォーマットである複数の記録情報の少なくとも属性を管理する第1の管理情報から、前記複数の記録情報の映像解像度を示すパラメータがそれぞれ異なることを検出する検出手段と、
前記検出手段の検出結果に応じて、前記パラメータが異なる記録情報毎に別々のタイトル管理情報を作成し、このタイトル管理情報をそれぞれの記録情報毎の前記解像度を含む第２の管理情報とし、この第２の管理情報及び前記第２のフォーマットの情報を記録媒体に記録する手段と、
を具備したことを特徴とする映像記録再生装置。
【請求項６】
情報記録再生用のビデオレコーディング方式に規定されている規格に対応する第1のフォーマットで記録された情報を、再生専用のビデオ方式に規定されている規格の第２のフォーマットの情報に変換する装置において、
前記第1のフォーマットである複数の記録情報の少なくとも属性を管理する第1の管理情報から、前記複数の記録情報のオーディオデータのビットレートを示すパラメータがそれぞれ異なることを検出する検出手段と、
前記検出手段の検出結果に応じて、前記パラメータが異なる記録情報毎に別々のタイトル管理情報を作成し、このタイトル管理情報をそれぞれの記録情報毎の前記ビットレートを含む第２の管理情報とし、この第２の管理情報及び前記第２のフォーマットの情報を記録媒体に記録する手段と
を具備したことを特徴とする映像記録再生装置。
【請求項７】
情報記録再生用のビデオレコーディング方式に規定されている規格に対応する第1のフォーマットで記録された情報をハードディスクから読出し、再生専用のビデオ方式に規定されている規格の第２のフォーマットの情報に変換し、光ディスクに記録する装置であって、
前記第1のフォーマットである複数の記録情報の少なくとも属性を管理する第1の管理情報から、前記複数の記録情報の映像解像度を示すパラメータがそれぞれ異なることを検出する検出手段と、
前記検出手段の検出結果に応じて、前記パラメータが異なる記録情報毎に別々のタイトル管理情報を作成し、このタイトル管理情報をそれぞれの記録情報毎の前記解像度を含む第２の管理情報とし、この第２の管理情報及び前記第２のフォーマットの情報を記録媒体に記録する手段と、
を具したことを特徴とする映像記録再生装置。
【請求項８】
情報記録再生用のビデオレコーディング方式に規定されている規格に対応する第1のフォーマットで記録された情報をハードディスクから読出し、再生専用のビデオ方式に規定されている規格の第２のフォーマットの情報に変換し、光ディスクに記録する装置であって、
前記第1のフォーマットである複数の記録情報の少なくとも属性を管理する第1の管理情報から、前記複数の記録情報のオーディオデータのビットレートを示すパラメータがそれぞれ異なることを検出する検出手段と、
前記検出手段の検出結果に応じて、前記パラメータが異なる記録情報毎に別々のタイトル管理情報を作成し、このタイトル管理情報をそれぞれの記録情報毎の前記ビットレートを含む第２の管理情報とし、この第２の管理情報及び前記第２のフォーマットの情報を記録媒体に記録する手段と
を具備したことを特徴とする映像記録再生装置。
【発明の詳細な説明】
【０００１】
【発明の属する技術分野】
この発明は、映像記録再生方法及び装置に関するもので、特にデジタルバーサタイルディスク（ＤＶＤ）を利用したＤＶＤビデオ（ＤＶＤ−Ｖｉｄｅｏ）方式とＤＶＤ−ビデオレコーディング（ＤＶＤ−ＶＲ）方式との相互の技術を活用する機能を有するものである。
【０００２】
【従来の技術】
ＤＶＤ−Ｖｉｄｅｏ方式は、再生専用のＤＶＤシステムのフォーマットとして開発されている。このために、ディスクに記録されている情報において、１つのタイトルの中に、解像度が異なる複数のストリームを混在することは許されていない。
【０００３】
これに対して、ＤＶＤ−ＶＲ方式は、記録再生用ＤＶＤシステムのフォーマットとして開発されており、ディスクに記録されている情報において、１つのタイトルの中に、解像度が異なる複数のストリームを混在することは許されている。
【０００４】
ここで、ＤＶＤ−Ｖｉｄｅｏ方式が、ＤＶＤ−ＶＲ方式よりも早く開発されたために、現在では、ＤＶＤ−Ｖｉｄｅｏ方式に対応した再生専用機が多く普及している。
【０００５】
【発明が解決しようとする課題】
上記のように現在では、ＤＶＤ−Ｖｉｄｅｏ方式に対応した再生専用機が、ＤＶＤ−ＶＲ方式の記録再生機よりも、多く普及している。そこでユーザの使用形態を考慮した場合、ＤＶＤ−ＶＲ方式の記録再生機で記録したディスクを、ＤＶＤ−Ｖｉｄｅｏ方式の再生専用機で再生することが要望される。このためには、ＤＶＤ−ＶＲ方式のデータをＤＶＤ−Ｖｉｄｅｏ方式のフォーマットのデータに変換する必要がある。
【０００６】
しかしここで問題となるのは、上記したようにＤＶＤ−ＶＲ方式では、１つのタイトルの中に、解像度が異なる複数のストリームを混在することは許されているのに対して、ＤＶＤ‐Ｖｉｄｅｏ方式では解像度が異なる複数のストリームを混在することは許されていないことである。このために、ユーザは、まずＤＶＤ‐ＶＲ方式の記録再生機で、解像度の異なる部分でタイトルを分割して、各タイトル毎にＤＶＤ−Ｖｉｄｅｏ方式へ変換する作業が必要となる。しかしこの作業は、ユーザにとって繁雑である。
【０００７】
そこでこの発明は、ＤＶＤ‐ＶＲ方式で記録されたタイトル内に異なる解像度をもつ複数のストリームが存在した場合、自動的に解像度が異なる部分でタイトルを分割して、ＤＶＤ‐Ｖｉｄｅｏ方式のデータに変換処理を行なうようにした映像記録再生装置を提供することを目的とする。
【０００８】
【課題を解決するための手段】
この発明は、情報記録再生用のビデオレコーディング方式に規定されている規格に対応する第1のフォーマットで記録された情報を、再生専用のビデオ方式に規定されている規格の第２のフォーマットの情報に変換する方法において、前記第1のフォーマットである複数の記録情報の少なくとも属性を管理する第1の管理情報から、前記複数の記録情報の映像解像度を示すパラメータがそれぞれ異なることを検出したとき、前記パラメータが異なる記録情報毎に別々のタイトル管理情報を作成し、このタイトル管理情報をそれぞれの記録情報毎の前記解像度を含む第２の管理情報とし、この第２の管理情報及び前記第２のフォーマットの情報を記録媒体に記録する。またこの発明では、前記複数の記録情報のオーディオデータのビットレートを示すパラメータがそれぞれ異なることを検出したとき、前記パラメータが異なる記録情報毎に別々のタイトル管理情報を作成し、このタイトル管理情報をそれぞれの記録情報毎の前記ビットレートを含む第２の管理情報とし、この第２の管理情報及び前記第２のフォーマットの情報を記録媒体に記録する。
【０００９】
【発明の実施の形態】
以下、この発明の実施の形態を図面を参照して説明する。
【００１０】
図１はこの発明が適用された情報記録再生装置の概略図である。１００はハードディスクドライブ（ＨＤＤ）、２００は、光ディスクドライブである。光ディスクとしては、記録再生用としてＤＶＤ−ＲＡＭ、ＤＶＤ−Ｒ、ＤＶＤ−ＲＷ、再生専用としてＤＶＤ−ＲＯＭなどが利用され、ドライブに対してリムーバブルである。
【００１１】
３００は、データ転送処理部であり、ハードディスクドライブ１００との信号のやり取り、また、光ディスクドライブ２００との信号のやり取りを行うことができる。
【００１２】
４００は、ＤＶＤ−ＶＲ方式のエンコーダであり、入力ビデオ信号、入力音声信号をＤＶＤ−ＶＲ方式のフォーマットにエンコードしデータ転送処理部３００に与える。これにより、ハードディスクあるいは光ディスク（ＤＶＤ−ＲＡＭ，、ＤＶＤ−Ｒ、ＤＶＤ−ＲＷ）などに情報を記録することができる。ハードディスクあるいは光ディスクに記録されている情報が再生される場合には、データ転送処理部３００を介して、ＤＶＤ−ＶＲ方式のデコーダ５００、ＤＶＤ−Ｖｉｄｅｏ方式のデコーダ６００に与えられる。記録情報がＤＶＤ−ＶＲ方式のフォーマットの場合は、デコーダ５００が利用され、記録情報がＤＶＤ−Ｖｉｄｅｏ方式のフォーマットの場合は、デコーダ６００が利用される。
【００１３】
７００は、装置の各ブロックを全体的に制御するためのマイクロコンピュータ部である。マイクロコンピュータ部７００には、作業用、一時格納部として利用されるメモリ７０１が接続されている。
【００１４】
またマイクロコンピュータ部７００には、ユーザからの操作情報を受け付ける機能も備わっており、操作部としてのキーボード７０２が接続されている。またマイクロコンピュータ部７００は、リモートコントローラ７０３からの信号を受け付けることもできる。
【００１５】
ところでこの発明では、フォーマット変換機能が設けられている。フォーマット変換部９００は、マイクロコンピュータ部７００の制御に従い、ＤＶＤ−ＶＲ方式の映像信号をＤＶＤ−Ｖｉｄｅｏ方式のフォーマットに変換して出力する。この変換された情報は、ハードディスクあるいは光ディスクに記録される。
【００１６】
図２には、上記したブロックのうち、デコーダ５００、エンコーダ４００を詳しく示している。
【００１７】
デコーダ５００は、ＤＶＤ−ＶＴ方式の再生信号が分離部５１１に供給される。この分離部５１１は、ビデオパケットと、オーディオパケットを分離する。分離のための判断は、パケットの先頭のヘッダ情報に記述されているストリームＩＤを識別することで行なっている。ビデオパケットのデータ部は、ＭＰＥＧ方式により圧縮されており、これを映像復号部５１２が復号し、出力回路５１４に与える。オーディオパケットのデータ部は、リニアＰＣＭ、ＡＣ３，ドルビー方式などの処理が施されており、この方式判断は、例えばヘッダ情報に記述されているサブストリームＩＤにより判断される。このオーディオデータ部は、その方式に応じて音声符号部５１３で復号され、出力回路部５１５に与えられる。
【００１８】
ＤＶＤ−ＶＤ方式エンコーダ４００は、入力回路４１１に映像信号が取り込まれ、入力回路４１２に音声信号が取り込まれる。映像信号は、映像圧縮部４１３でＭＰＥＧ方式による圧縮方式で圧縮され、この圧縮データが、ＤＶＤ−ＶＲ方式に適合するフォーマットにパケット化される。また音声信号は、音声圧縮部４１４に入力され、同様にＤＶＤ−ＶＲ方式に適合するフォーマットにパケット化される。
【００１９】
ＤＶＤ−Ｖ方式では、音声情報に、リニアＰＣＭ方式、ドルビー方式、ＡＣ３方式などをサポートしている。したがって、これらの方式の所望の方式の音声情報に変換される。
【００２０】
フォーマット変換部９００は、マイクロコンピュータ部７００の制御に従い、ＤＶＤ−ＶＲ方式の映像信号をＤＶＤ−Ｖｉｄｅｏ方式のフォーマットに変換して出力する。この変換された情報は、ハードディスクあるいは光ディスクに記録される。
【００２１】
フォーマット変換部９００では、例えばパケット内のデータ部の圧縮方式（処理方式）は、変換前も変換後も同じであるので、データ部は、そのまま、維持し、ヘッダ情報、管理情報のみを変換するようにしてもよい。
【００２２】
ここで本発明では、第１のフォーマット（ＤＶＤ−ＶＲ方式）で記録された情報をを第２のフォーマット（ＤＶＤ−Ｖｉｄｅｏ）の情報に変換する方法において、前記第１のフォーマットに対応する第１の管理情報から、記録情報のパラメータが異なることを検出し、パラメータが異なる記録情報毎に別のタイトル管理情報を作成し、これを前記第２のフォーマットで記録される情報の第２の管理情報とするものである。
【００２３】
図３は、本発明により処理されるコンテンツであるタイトル（第１の例）のイメージ図である。即ち、この例では、図３（Ａ）に示すように、ＤＶＤ−ＶＲ方式で記録されたタイトルが３つのストリーム１，２，３から構成されている。そして各ストリーム１，２，３の映像パラメータ、音声パラメータ、アスペクト比が図２（Ｂ）である。
【００２４】
また図４は、本発明により処理されるコンテンツであるタイトル（第１の例）のイメージ図である。即ち、この例では、図４（Ａ）に示すように、ＤＶＤ−ＶＲ方式で記録されたタイトルが４つのストリーム１、２、３、４から構成されている。そして各ストリーム１、２、３、４の映像パラメータ、音声パラメータ、アスペクト比が図４（Ｂ）である。ただし、ストリーム３と４に関しては、映像パラメータ、音声パラメータが同じである。
【００２５】
図５（Ａ），図５（Ｂ）は、上記のような第１のフォーマットの情報を第２のフォーマットに変換した場合のイメージ図である。
【００２６】
即ち、図３に示した第１のフォーマットの情報は、図５（Ａ）に示すように、各ストリームのパラメータが異なるために、それぞれのストリームが１つのタイトルとして管理される。つまりストリーム１、２、３に対してそれぞれタイトル１，２，３が設定されて管理される。
【００２７】
また、図４に示した第１のフォーマットの情報は、ストリーム３、４の映像パラメータ及び音声パラメータが同じであるために、ストリーム３、４は、同一のタイトル３として管理される。ストリーム１、２はそれぞれ異なる映像パラメータ、音声パラメータであるために独立したタイトル１、２として管理される。
【００２８】
上記のように本発明では、第２のフォーマットに変換された後は、１つのタイトルの中に異なる映像パラメータ及び又は音声パラメータの情報が存在しないようになる。
【００２９】
このために、リムーバブルな光ディスクに対して、上記した変換処理を行い、第２のフォーマットの情報を記録するようにすれば、この光ディスクをＤＶＤ−Ｖｉｄｅｏ方式のみを再生できる専用機で再生することができる。つまり、現在普及している再生専用機を有効に利用することができる。
【００３０】
図６は、マイクロコンピュータ部７００において、第１のフォーマットに対応する管理情報を読み取り、第２のフォーマットに対応する管理情報を生成するときの手順（タイトル変換処理）を示している。
【００３１】
今、第１のフォーマットの情報がハードディスクに記録されており、この情報を第２のフォーマットに変換して、光ディスクに記録するものとして説明する。
【００３２】
ハードディスクに記録されている変換すべきタイトルがユーザ操作により選択されたものとする。すると、まず選択されたタイトルは１ストリームで構成されているかどうかを判断する（ステップＡ１）。この判断は、ＤＶＤ−ＶＲ方式の管理情報に記述されているムービービデオオブジェクトストリーム情報（Ｍ＿ＶＯＢ＿ＳＴＩ）の番号を読取ることにより可能である。この情報は、ストリーム毎に用意されるからである。選択されたタイトルは１ストリームで構成されている場合は、タイトル番号を例えば１、ストリーム番号を１として、終了する。
【００３３】
ステップＡ２で選択されたタイトルに複数のストリームが存在する場合には、タイトル番号を例えば１、ストリーム番号を１とし、ステップＡ５に進む。ステップＡ５では、ストリーム番号を＋１とし、この新たなストリームのパラメータ判定に移る（ステップＡ５、Ａ６、Ａ７）。つまり、次のストリームのパラメータが、現在のパラメータと異なっているかどうかを判定する。
【００３４】
この判定の結果、パラメータが異なっている場合には、ステップＡ８において、新たなタイトル番号を設定する。つまり現在のタイトル番号に＋１を加えて新たなタイトル番号とし、次のステップＡ５に移行する。そして、ストリーム番号を＋１とし、この新たなストリームのパラメータ判定に移る（ステップＡ５、Ａ６、Ａ７）。
【００３５】
ステップＡ７において、次のストリームのパラメータが、現在のパラメータと同じの場合は、ステップＡ９に移行する。ここでは、タイトル番号は変化せず、現在のタイトル管理情報に前記した次のストリームの番号が含まれるようになる。
【００３６】
なお、ステップＡ５とＡ７との間では、ストリームはまだ終了していないかどうかを判定し、終了していれば（つまり次のストリームが存在しない場合は）処理終了に移行する。
【００３７】
上記の処理により、管理情報内では、第１のフォーマットに対応する管理情報を用いて、第２のフォーマットに対応する管理情報が作成されることになる。第２のフォーマットに対応する管理情報は、そのフォーマットが所定の管理フォーマットである。したがって、上記の処理に基づいて、その管理フォーマットの内部の情報（タイトル番号、ストリーム番号等）を、予め確保されているエリアに記述する。
【００３８】
上記のように、第１のフォーマットの情報を第２のフォーマットの情報に変換した際に必要な管理情報が作成される。次に、具体的にコンテンツのダビングが開始される。
【００３９】
図７は、ダビングモードにおける動作フローを示している。
【００４０】
まず、ダビング処理が開始されると、タイトル番号を例えば１、ストリーム番号を１と設定する（ステップＢ１、Ｂ２）。すると、設定されたタイトル番号のタイトルの中の、設定されたストリーム番号のストリームのダビングが行なわれる（ステップＢ３）。ここでダビング中に映像又は音声パラメータに変化があったかどうかの判定が行なわれる（ステップＢ４）。
【００４１】
この判定では、例えばＤＶＤ−ＶＲ方式の情報に間欠的（ビデオオブジェクトユニット毎）に含まれる制御情報（ＲＤＩと称される）内のアスペクト比情報を判定する。
【００４２】
このパラメータが変化したときは、ストリーム番号を新たにして（ステップB6）、ステップB3に進み、ダビングを行なう。ステップB4の判定で、パラメータの変化がない場合には、設定されているタイトル番号のタイトルの最後のストリーム番号のストリームについて、ダビングが終了したかどうかを判定する。終了していなければ、ステップB6に進み、次のストリームのダビングが行なわれる。
【００４３】
ステップＢ５にて、設定されたタイトル内の最後のストリームのダビングが終了したことが判定された場合、ステップＢ７に移行し、タイトル番号が最後のタイトル番号であるかどうかを判定する。最後のタイトルであれば終了する。最後のタイトルでない場合には、ステップＢ８に移行し、現在のタイトル番号に＋１し新たなタイトルのダビングを開始する。
【００４４】
コンテンツのダイビングが終わると、先に作成して一時保持していた第２のフォーマットに対応する管理情報が光ディスクに記録される。これにより、この光ディスクをＤＶＤ−Ｖｉｄｅｏ方式のみを再生できる専用機で再生することができる。つまり、現在普及している再生専用機を有効に利用することができる。
【００４５】
図８は第１フォーマット（ＤＶＤ−ＶＲ）における管理情報を簡略化して示している。管理情報は、記録再生装置が情報の記録再生を行なうためのナビゲーション（コントロール）として機能するもので、ＲＴＲ＿ＶＭＧＩ（リアルタイム・レコーディング用ビデオマネージャー・インフォメーション）、Ｍ＿ＡＶＦＩＴ（ムビー・ＡＶファイルインフォメーションテーブル）、ＯＰＧ＿ＰＧＣＩ（オリジナル・プログラム用プログラムチェーンインフォメーション）、ＵＤ＿ＰＧＣＩＴ（ユーザ・定義用プログラムチェーン・インフォメーション・テーブル）等が記述されている。
【００４６】
ＲＴＲ＿ＶＭＧＩには、識別情報、ディスク代表画像情報、コピープロテクション情報、各情報のエントリーアドレスなどが記述されている。Ｍ＿ＡＶＦＩＴには、Ｍ＿ＡＶＦＩＴＩ（ムビー・ＡＶファイル・インフォメーション・テーブル情報、Ｍ＿ＶＯＢ＿ＳＴＩ（ムービー・ビデオオブジェクト・ストリーム情報）等が記述されている。ＯＰＧ＿ＰＧＣＩは、記録されたプログラムを記録順に再生する順序を示すセル情報を含む。ＵＤ＿ＰＧＣＩＴは、ユーザがオリジナルプログラムを編集したような場合に、ユーザが定義した再生順序を示す情報を含む。
【００４７】
ところで、上記のＭ＿ＶＯＢ＿ＳＴＩは、プログラムを連続して記録される毎に作成される情報であり、その情報の中には、Ｖ＿ＡＴＲ（ビデオ属性）、ＡＳＴ＿Ｎ（オーディオストリーム数）、ＳＰＳＴ＿Ｎ（副映像ストリーム数）、Ａ＿ＡＴＲ０（オーディオストリーム属性）、Ａ＿ＡＴＲ１（オーディオストリーム属性）が含まれる。
【００４８】
ここでビデオ属性には、圧縮モード、ＴＶシステム、ライン２１情報の有無、アスペクト情報、解像度などが存在する。またオーディオ属性には、コーディングモード情報、量子化情報、チャンネル数情報、ビットレート情報が含まれる。ここで本発明の説明では、上記のようなビデオ属性、オーディオ属性に含まれる情報をパラメータとして説明した。また先の説明で、第１のフォーマットにおけるタイトルを説明したが、これは、上記のＯＰＧ＿ＰＧＣＩ、ＵＤ＿ＰＧＣに相当する。プログラムチェーン情報は、セルを介して、ビデオオブジェクト情報を指定し、ビデオオブジェクト情報が、ビデオオブジェクト（ＶＯＢ）とそこに含まれるビデオ−パート、オーディオパートを指定するようになっている。
【００４９】
次に、図９は、第２フォーマット（ＤＶＤ−Ｖｉｄｅｏ）における管理情報を簡略化して示している。管理情報は、記録再生装置が情報の記録再生を行なうためのナビゲーション（コントロール）として機能する。管理情報には、ビデオ・マネジメント・ジェネラル・情報・マネジメント・テーブル（ＶＭＧＩ＿ＭＡＴ）、タイトル・サーチ・ポインタ・テーブル（ＴＴ＿ＳＲＰＴ）などが記述されている。ここで、ＴＴ＿ＳＲＰＴには、ディスクに記録されている各タイトルのサーチポインタが記録されている。ディスクのコンテンツが最初から順次再生される場合には、各タイトルサーチポインタが順次参照されて、再生すべきタイトルがサーチされ、読取られる。タイトル・サーチ・ポインタによりサーチされるタイトルには、まずタイトル毎にビデオタイトルセット情報（ＶＴＳＩ）が記述されている。このＶＴＳＩが再生専用機により読取られることにより、当該タイトルのためのビデオオブジェクトセット（ＶＴＳＴＴ＿ＶＯＢＳ）を再生するためのパラメータが設定される。
【００５０】
したがって、ＶＴＳＩ内には、ビデオタイトルセット情報マネジメント情報（ＶＴＳＩ＿ＭＡＩ）が記述されており、このなかに、ビデオ属性、オーディオ属性が記述されるようになっている。したがって、このビデオ属性、オーディオ属性とは、タイトル毎に設定することができる。ここでビデオ属性には、圧縮モード、ＴＶシステム、ライン２１情報の有無、アスペクト情報、解像度などが存在する。またオーディオ属性には、コーディングモード情報、量子化情報、チャンネル数情報、ビットレート情報が含まれる。
【００５１】
本発明のシステムは、上記したように、ＤＶＤ−ＶＲ方式に基づく管理情報を読み取り、そのビデオ属性、オーディオ属性に応じてＤＶＤ−Ｖｉｄｅｏ方式に基づく管理情報を生成する。これにより、ＤＶＤ‐ＶＲ方式で記録されたタイトル内に異なる解像度をもつ複数のストリームが存在した場合、解像度が異なる部分で自動的にタイトルを分割して、ＤＶＤ‐Ｖｉｄｅｏ方式のデータに変換処理を行なうことになる。
【００５２】
【発明の効果】
上記した本発明によれば、第１のフォーマットの情報を自動的に第２のフォーマットに変換し、ユーザの操作を簡易にするとともに、第２のフォーマットに対応した再生専用機の利用価値を高めることができる。
【図面の簡単な説明】
【図１】この発明に係る映像記録再生装置の全体的なブロック図。
【図２】図１のブロックの一部を示す図。
【図３】ＤＶＤ−ＶＲ方式で記録されたタイトルの例を示す説明図。
【図４】ＤＶＤ−ＶＲ方式で記録されたタイトルの別の例を示す説明図。
【図５】図３、図４に示したタイトルが方式変換されたときのイメージを示す説明図。
【図６】本発明に係る装置のタイトル変換処理動作の例を示すフローチャート。
【図７】本発明に係る装置のダビング処理動作の例を示すフローチャート。
【図８】ＤＶＤ−ＶＲ方式における管理情報の概略説明図。
【図９】ＤＶＤ−Ｖｉｄｅｏ方式における管理情報の概略説明図。
【符号の説明】
１００…ハードディスクドライブ、２００…光ディスクドライブ、３００…データ転送処理部、４００…ＤＶＤ−ＶＲ方式エンコーダ、５００…ＤＶＤ−ＶＲ方式でコーダ、６００…ＤＶＤ−Ｖｉｄｅｏ方式デコーダ、７００…マイクロコンピュータ部、８００…信号系統切り換え部、９００…フォーマット変換部。
【図１】
0003557187.tif 000002
【図２】
0003557187.tif 000003
【図３】
0003557187.tif 000004
【図４】
0003557187.tif 000005
【図５】
0003557187.tif 000006
【図６】
0003557187.tif 000007
【図７】
0003557187.tif 000008
【図８】
0003557187.tif 000009
【図９】
0003557187.tif 000010